(57)【要約】  【課題】  発光素子を搭載した表示基板を室内機の前面部に配置した空気調和機において、表示基板を保持爪で表示器ケースに固定していても、表示基板が表示器ケースから外れてしまう可能性がある。【解決手段】発光素子を搭載した表示基板を収納する表示器ケースに、表示基板の一辺側を保持する第一保持部と、表示基板の他辺側を保持する第二保持部と、第二保持部から延伸して形成され弾性を有する延伸部と、延伸部の先端部に形成され取付部に挿入される係止爪を備えた。延伸部を弾性変形させる向きが反対になるようにすることで、表示基板を確実に固定できるようにした。【選択図】図３
2018091583.tif 000002
【特許請求の範囲】
【請求項１】
１つ以上の発光素子を搭載する表示基板と、少なくとも前記表示基板を収納する収納部を有する表示器ケースと、前記表示器ケースが取付けられる取付部を有する本体を有する空気調和機の室内機であって、前記表示器ケースは、前記表示基板の一辺側を保持する第一保持部と、前記表示基板の他辺側を保持する第二保持部と、前記第二保持部から延伸して形成され弾性を有する延伸部と、前記延伸部の先端部に形成され前記取付部に挿入される係止爪とを備えることを特徴とする空気調和機の室内機。
【発明の詳細な説明】
【技術分野】
【０００１】
本発明は、空気調和機に関わり、より詳細には室内機の表示部の構成に関するものである。
【背景技術】
【０００２】
空気調和機の室内機は、本体の前面上部及び上面に吸込口を設け、前面下部に吹出口を設けている。吸込口と吹出口とを結ぶ空気通路には、熱交換器と送風ファンとが設けられ、送風ファンが回転することにより、吸込口から吸込まれた空気は熱交換器を通過して冷媒と熱交換された後、吹出口から室内に吹出されるようになっている。
【０００３】
本体の前面に配置される前面パネルの下部には、空気調和機の運転状態を表示する表示部が設けられている。表示部は、発光素子としての複数のＬＥＤが搭載された表示基板と、表示基板を保持する表示器ケースを備えている。
【０００４】
特許文献１で示す空気調和機の室内機は、室内機の前面部に設置された前面パネルと、複数の発光デバイスを搭載した表示基板と、表示基板を保持して前面パネルの裏に固定する表示基板固定具を有している。
【先行技術文献】
【特許文献】
【０００５】
【特許文献１】特開２０１０−３２２１０号公報
【発明の概要】
【発明が解決しようとする課題】
【０００６】
しかし、特許文献１の室内機では、表示基板を表示基板固定具に設けた保持爪で室内機の前面側に固定していても、保持爪だけでは表示基板が室内機の前面部から外れてしまう可能性があった。
【０００７】
本発明は、表示基板を確実に固定する事ができる空気調和機の室内機を提供することを目的とする。
【課題を解決するための手段】
【０００８】
本発明は上述の課題を解決するため、本発明の請求項１に記載の空気調和機の室内機は、１つ以上の発光素子を搭載する表示基板と、少なくとも前記表示基板を収納する収納部を有する表示器ケースと、前記表示器ケースが取付けられる取付部を有する本体を有する空気調和機の室内機であって、前記表示器ケースは、前記表示基板の一辺側を保持する第一保持部と、前記表示基板の他辺側を保持する第二保持部と、前記第二保持部から延伸して形成され弾性を有する延伸部と、前記延伸部の先端部に形成され前記取付部に挿入される係止爪とを備えることを特徴とする。
【発明の効果】
【０００９】
本発明の空気調和機の室内機によれば、表示基板を確実に固定する事ができる。
【図面の簡単な説明】
【００１０】
【図１】本発明における空気調和機の主な構成を示す斜視図である。
【図２】本発明における表示基板が固定された表示器ケースの断面図（図１のＸ−Ｘ断面図）である。
【図３】本発明における空気調和機の室内機の表示器ケースを開口部側から見た斜視図である。
【発明を実施するための形態】
【００１１】
以下、本発明の実施の形態を、添付図面に基づいて説明する。なお、本発明は以下の実施形態に限定されることなく、本発明の主旨を逸脱しない範囲で種々変形することが可能である。
【００１２】
図１に示すように、室内機１は、図示しない熱交換器、送風ファン等を収容するケーシング１１（本体）と、ケーシング１１の前面を覆うように配置される前面パネル１２を有している。ケーシング１１の前面下部には上下風向板１３を備えた吹出口１４が設けられている。
【００１３】
ケーシング１１の吹出口１４近傍には、表示器ケース２０の取付部１５が形成されている。また、取付部１５には表示器ケース２０を後述する表示器ケース２０に設けられた突起部２５、係止爪２８でケーシング１１に固定するための取付穴１６（１６Ｆ，１６Ｇ，１６Ｈ，１６Ｉ）が複数形成されている。
【００１４】
図１から図３に示すように、表示器ケース２０はケーシング１１の左右方向に長い箱体状に形成される。表示器ケース２０は、上面板２０Ｂ、前面板２０Ｃ、下面板２０Ｄ、長手方向の両端にある側面板２０Ａを備え、開口部２０Ｅを有する。表示器ケース２０の内側には、１つ以上の発光素子を搭載した表示基板３０を収納するための収納部２１が形成されている。表示器ケース２０の前面板２０Ｃには、発光素子３１が発する光を透過し空気調和機の運転状態を表示するための表示部２２が形成されている。なお、表示基板３０を表示器ケース２０に収納する際には、表示基板３０に搭載されている発光素子３１を表示器ケース２０の前面板２０Ｃ側に向けて挿入する。
【００１５】
図１と図３に示すように、表示器ケース２０の前面板２０Ｃには、表示基板３０の発光素子３１の位置に合わせて、発光素子３１が発する光を収納部２１側から表示部２２側に導く穴である導光口２３が複数形成されている。
【００１６】
表示器ケース２０の下面板２０Ｄの収納部２１側には、表示基板３０の一辺側３０ｊを保持する第一保持部２４が形成されている。また、下面板２０Ｄの外側には、ケーシング１１の取付穴１６（１６Ｆ，１６Ｇ）に挿入される突起部２５（２５ｆ，２５ｇ）が複数形成されている。
【００１７】
表示器ケース２０には、表示基板３０の他辺側３０ｋを保持する第二保持部２６が形成されている。第二保持部２６は、上面板２０Ｂの一部を収納部２１側に凹ませて形成した受け部２９と、受け部２９と所定の間隔をもって設けられた延伸部２７からなる。なお、所定の間隔とは延伸部２７の根本部２７ｎと受け部２９が表示基板３０を保持できる間隔であれば良い。
【００１８】
延伸部２７の根本部２７ｎは、接続部２０Ｓを介して表示器ケース２０の上面板２０Ｂに接続される。この延伸部２７が開口部２０Ｅ側に向かう力または開口部２０Ｅ側から遠ざかる力を受けたとき、根本部２７ｎと接続部２０Ｓが弾性変形することで第二保持部２６が表示基板３０を保持する間隔（前記所定の間隔）が変化する。また、延伸部２７の先端部２７ｓにはケーシング１１の取付穴１６（１６Ｈ，１６Ｉ）に挿入される係止爪２８（２８ｈ，２８ｉ）が形成されている。
【００１９】
ここで、表示基板３０を表示器ケース２０に収納して固定する際には、まず表示基板３０の長手方向の一辺側３０ｊを第一保持部２４に挿し込んで保持する。そして延伸部２７を収納部２１とは反対方向に押すことで、第二保持部２６が開くように弾性変形させ、表示基板３０の他辺側３０ｋを第二保持部２６に挿し込んで保持する。
【００２０】
このように、第二保持部２６から延伸し弾性を有する延伸部２７を形成したことで、表示基板３０や表示器ケース２０に大きな力を加えること無く、表示基板３０を容易に表示器ケース２０に収納して固定することが可能になる。
【００２１】
続いて、表示基板３０を収納した表示器ケース２０をケーシング１１に固定する際には、まず、表示器ケース２０の突起部２５（２５ｆ，２５ｇ）を取付部１５の取付穴１６（１６Ｆ，１６Ｇ）へそれぞれ挿入する。そして表示器ケース２０の延伸部２７を収納部２１の方向に押して弾性変形させながら、表示器ケース２０の係止爪２８（２８ｈ，２８ｉ）を取付部１５の取付穴１６（１６Ｈ，１６Ｉ）へ挿入して固定する。
【００２２】
このように固定することで、係止爪２８（２８ｈ，２８ｉ）が取付穴１６（１６Ｈ，１６Ｉ）に挿入された状態では、延伸部２７は収納部２１とは反対方向（図２の白抜き矢印の方向）に動くことがない。よって室内機１を運搬時に落下させるなどしてケーシング１１や表示器ケース２０が衝撃を受けたとしても、表示基板３０は表示器ケース２０から外れることが無い。
【００２３】
また、第二保持部２６から延伸し弾性を有する延伸部２７を形成したことで、表示器ケース２０を容易にケーシング１１に取り付けることができる。
【符号の説明】
【００２４】
１  室内機
１１  ケーシング（本体）
１２  前面パネル
１３  上下風向板
１４  吹出口
１５  取付部
１６  取付穴（１６Ｆ，１６Ｇ，１６Ｈ，１６Ｉ）
２０  表示器ケース
２０Ａ  側面板
２０Ｂ  上面板
２０Ｓ  接続部
２０Ｃ  前面板
２０Ｄ  下面板
２０Ｅ  開口部
２１  収納部
２２  表示部
２３  導光口
２４  第一保持部
２５  突起部（２５ｆ, ２５ｇ）
２６  第二保持部
２７  延伸部
２７ｎ  根本部
２７ｓ  先端部
２８  係止爪（２８ｈ, ２８ｉ）
２９  受け部
３０  表示基板（３０ｊ，３０ｋ）
３１  発光素子
【図１】
2018091583.tif 000003
【図２】
2018091583.tif 000004
【図３】
2018091583.tif 000005